(57)【要約】      （修正有）【課題】水の電気分解で発生した気体を、安定してバブル水発生装置に流入できるバブル水発生システムを提供する。【解決手段】水を貯留する電解タンク１０、及び電解タンク１０内に配置される第１及び第２電極軸１１、１２を有し、電解タンク１０内の水を電気分解する電解装置１と、電気分解で発生した気体及び水から微細気泡水を生成して、流出するバブル水発生装置と、電解タンク１０及びバブル水発生装置に接続される気液流入管３と、気液流入管３に配置され、常時気液流入管３を閉じる開閉弁４と、電解タンク１０内に水位を検出する水位検出器と、制御装置６を備える。制御装置６は、水位検出器による水位検出に基づき、開閉弁４を開いて、バブル水発生装置を電解タンク１０に接続する。【選択図】図２
0003234258.tif 000002
【実用新案登録請求の範囲】
【請求項１】
水が流入され、水を貯留する電解タンク、前記電解タンク内に配置される第１及び第２電極を有し、前記第１及び第２電極の間に電圧を印加して前記電解タンクに貯留した水を電気分解する電解装置と、
電気分解で発生した気体及び水から微細気泡を含有する微細気泡水を生成し、及び微細気泡水を流出するバブル水発生装置と、
前記電解タンク及び前記バブル水発生装置に接続され、前記電解タンク内から電気分解で発生した気体及び水を前記バブル水発生装置に流入する気液流入管と、
前記気液流入管に配置され、前記気液流入管を常時閉じる開閉弁と、
水位検出器と、
前記開閉弁の開閉を制御する制御装置と、を備え、
前記電解タンクは、
上筒端及び下筒端を閉塞した筒状に形成され、前記上筒端を上下方向の上方に向けて配置され、
前記上下方向において、前記上筒端に第１間隔を隔てて配置され、前記電解タンク内に開口して水を流入する流入口と、
前記上下方向において、前記流入口に第２間隔を隔てて前記下筒端側に配置され、前記電解タンク内に開口し、及び前記気液流入管に接続される流出口と、を有し、
前記第１及び第２電極は、
前記上下方向において、前記下筒端及び前記流入口の間に延在され、
前記水位検出器は、
前記上筒端及び前記流入口の間において、前記電解タンク内の水位を検出し、
前記制御装置は、
前記水位検出器の水位検出に基づき、前記開閉弁を開く、
ことを特徴とするバブル水発生システム。
【考案の詳細な説明】
【技術分野】
【０００１】
本考案は、水を電気分解して、電気分解で発生した気体及び水から微細気泡を含有する微細気泡水（ファインバブル水）を生成して流出するバブル水発生システムに関する。
【背景技術】
【０００２】
水を電気分解する技術として、特許文献１は、電解装置を開示する。電解装置は、上端が開口する電解槽と、電解槽に配置される第１電極、第２電極、及び第３電極とを備える。第１電極、第２電極及び第３電極は、電解槽の開口から電解槽内に充填された水に浸漬される。電解装置は、第１及び第２電極に交流電圧を印加し、及び第３電極に直流電圧を印加することで、電解槽内の水を電気分解して水素及び酸素の気体を発生する。
【先行技術文献】
【特許文献】
【０００３】
【特許文献１】特開２００６―３５０５３号公報
【考案の概要】
【考案が解決しようとする課題】
【０００４】
従来から、水の電気分解により発生した気体（水素、酸素）を、バブル水発生装置に供給することで、バブル水発生装置にて微細気泡の含有した微細気泡水を生成することが行われている。バブル水発生装置にて微細気泡水を安定して生成するには、気体を安定してバブル水発生装置に供給する必要がある。
特許文献１では、上端が開口する電解槽に充填された水を第１乃至第３電極によって電気分解しているので、水の電気分解で発生した気体（水素、酸素）は、電解槽の上端の開口から外気（大気）に放出され、気体（水素、酸素）を、安定してバブル水発生装置に供給できない。
【０００５】
本考案は、水の電気分解で発生した気体（水素、酸素）を、安定してバブル水発生装置に流入できるバブル水発生システムを提供することにある。
【課題を解決するための手段】
【０００６】
本考案は、水が流入され、水を貯留する電解タンク、前記電解タンク内に配置される第１及び第２電極を有し、前記第１及び第２電極の間に電圧を印加して前記電解タンクに貯留した水を電気分解する電解装置と、電気分解で発生した気体及び水から微細気泡を含有する微細気泡水を生成し、及び微細気泡水を流出するバブル水発生装置と、前記電解タンク及び前記バブル水発生装置に接続され、前記電解タンク内から電気分解で発生した気体及び水を前記バブル水発生装置に流入する気液流入管と、前記気液流入管に配置され、前記気液流入管を常時閉じる開閉弁と、水位検出器と、前記開閉弁の開閉を制御する制御装置と、を備え、前記電解タンクは、上筒端及び下筒端を閉塞した筒状に形成され、前記上筒端を上下方向の上方に向けて配置され、前記上下方向において、前記上筒端に第１間隔を隔てて配置され、前記電解タンク内に開口して水を流入する流入口と、前記上下方向において、前記流入口に第２間隔を隔てて前記下筒端側に配置され、前記電解タンク内に開口し、及び前記気液流入管に接続される流出口と、を有し、前記第１及び第２電極は、前記上下方向において、前記下筒端及び前記流入口の間に延在され、前記水位検出器は、前記上筒端及び前記流入口の間において、前記電解タンク内の水位を検出し、前記制御装置は、前記水位検出器の水位検出に基づき、前記開閉弁を開く、ことを特徴とするバブル水発生システムである。
本考案では、水位検出器は、上下方向の上筒端及び流入口の間の検出位置（上筒端及び流入口の間に設定された検出位置）において、電解タンク内の水位を検出する構成も採用できる。
本考案では、微細気泡は、気泡径：１００マイクロメートル（μｍ）未満のファインバブルである。
本考案では、微細気泡水は、ファインバブルを含有する水（ファインバブルの混入、溶け込んだ水）であって、マイクロバブル及びウルトラファインバブルを含有する水（マイクロバブル及びウルトラファインバブルの混入、溶け込んだ水）である。国際標準化機構（ＩＳО）の国際規格「ＩＳО２０４８０−１」には、気泡径：１マイクロメート（μｍ）以上１００マイクロメート（μｍ）未満の気泡を「マイクロバブル」、気泡径：１マイクロメートル（μｍ）未満の気泡を「ウルトラファンバブル」と定めている。
【考案の効果】
【０００７】
本考案によれば、電解タンクは、上筒端及び下筒端を閉塞した筒状に形成されており、電解タンク内は密閉状態にされる。
電解装置は、電解タンク内に水を貯留し、第１及び第２電極を電解タンク内に配置して、第１及び第２電極の間に電圧を印加することで、電解タンク内に貯留した水を電気分解する。水の電気分解で発生した気体（水素、酸素）は、電解タンクから外気（大気）に放出されことなく、電解タンク内に溜まって、電解タンク内の水と共に、気液流入管を通してバブル水発生装置に流入される。
これにより、水の電気分解で発生した全ての気体（水素、酸素）を、水と共にミスト水発生装置に流入でき、安定して気体（水素、酸素）をバブル水発生装置に供給できる。
バブル水発生装置では、電解タンクから安定して流入される電気分解で発生した気体及び水から微細気泡を含有する微細気泡水を生成して、流出することが可能となる。
本考案によれば、水検出器は、第１及び第２電極より上筒端側であって、電解タンクの上筒端及び流入口の間において、電解タンク内に水位を検出し、制御装置は、水位検出に基づき、開閉弁を開くので、常時、第１及び第２電極の全体を電解タンク内に貯留した水に浸漬できる。
これにより、電解タンク内に貯留された水に、常時、第及び第２電極の全体を浸漬することで、常時、電解タンク内に貯留した水を効率良く電気分解でき、電気分解で発生した気体（水素、酸素）を水と共に、気液流入管を通して、バブル水発生装置に流入できる。
【図面の簡単な説明】
【０００８】
【図１】バブル水発生システムを示す図（配管図）である。
【図２】バブル水発生システムを示す図（配線図）である。
【図３】電解装置及び水位検出器を示す正面図である。
【図４】電解装置及び水位検出器を示す背面図である。
【図５】電解装置及び水位検出器を示す左側面図である。
【図６】電解装置及び水位検出器を示す平面図（上面図）である。
【図７】電解装置を示す底面図（下面図）である。
【図８】図６のＣ−Ｃ断面図である。
【図９】図３のＡ−Ａ断面図である。
【図１０】図３のＢ−Ｂ断面図である。
【図１１】図８のＤ部分拡大図である。
【図１２】バブル水発生装置（バブル攪拌器、バブル噴射器）、気液流入管及び流出管を示す正面図である。
【図１３】図１２の上面図（平面図）である。
【図１４】図１２のＥ−Ｅ断面図である。
【図１５】図１４の部分拡大図である。
【図１６】図１５のＦ−Ｆ断面拡大図である。
【図１７】図１５のＧ−Ｇ断面拡大図である。
【図１８】図１５のＨ−Ｈ断面拡大図である。
【図１９】図１５のＩ−Ｉ断面拡大図である。
【図２０】図１５のＪ−Ｊ断面拡大図である。
【図２１】図１５のＫ−Ｋ断面拡大図である。
【図２２】図１５のＬ−Ｌ断面拡大図である。
【図２３】図１５の一部拡大図であって、バブル攪拌器の攪拌流入口側、及びバブル噴射器における微細気泡水（ファインバブル水）の流れを示す図である。
【図２４】図１５の一部拡大図であって、バブル攪拌器の攪拌流出口側における微細気泡水（ファインバブル水）の流れを示す図である。
【図２５】流れ筒体の第１流れ筒本体を示す図であって、（ａ）は斜視図、（ｂ）は上面図（平面図）である。
【図２６】流れ筒体の第１流れ筒本体を示す図であって、（ａ）は下面図（底面図）、（ｂ）は図２６（ａ）の一部拡大図である。
【図２７】流れ筒体の第１流れ筒本体を示す図であって、（ａ）は図２５（ｂ）のＭ−Ｍ断面図、（ｂ）は図２７（ａ）の一部拡大図である。
【図２８】流れ筒体の第２流れ筒本体を示す図であって、（ａ）は斜視図、（ｂ）は下面図（底面図）である。
【図２９】流れ筒体の第２流れ筒本体を示す図であって、（ａ）は上面図（平面図）、（ｂ）は図２９（ａ）のＮ−Ｎ断面図である。
【図３０】第１乱流筒体を示す図であって、（ａ）は正面図、（ｂ）は側面図、（ｃ）は上面図（平面図）である。
【図３１】第１乱流筒体を示す図であって、（ａ）は下面図（底面図）、（ｂ）は図３０（ａ）のＯ−Ｏ断面図、（ｃ）は図３０（ｂ）のＰ−Ｐ断面図である。
【図３２】第２乱流筒体を示す図であって、（ａ）は正面図、（ｂ）は側面図、（ｃ）は上面図（平面図）である。
【図３３】第２乱流筒体を示す図であって、（ａ）は下面図（底面図）、（ｂ）は図３２（ａ）のＱ−Ｑ断面図、（ｃ）は図３２（ｂ）のＲ−Ｒ断面図である。
【図３４】バブル噴射器を示す図であって、（ａ）は正面図、（ｂ）は上面図（平面図）である。
【図３５】バブル噴射器を示す図であって、（ａ）は下面図（底面図）、（ｂ）は図３４（ｂ）のＳ−Ｓ断面図である。
【考案を実施するための形態】
【０００９】
本考案に係るバブル水発生システムについて、図１乃至図３５を参照して説明する。
【００１０】
図１乃至図３５において、バブル水発生システムＸは、電解装置１、バブル水発生装置２、気液流入管３（気液管路）、開閉弁４、水位検出器５、及び制御装置６を備える。
【００１１】
電解装置１は、図１乃至図１１に示すように、電解タンク１０、第１電極１１、第２電極１２、及び電極電源１３を有する。
【００１２】
電解タンク１０は、図１乃至図１１に示すように、水が流入され、水を貯留する。電解タンク１０は、上筒端１０Ａ及び下筒端１０Ｂを閉塞した筒状に形成される。解タンク１０は、例えば、上筒端１０Ａ及び下筒端１０Ｂを閉塞した円筒状に形成されて、電解タンク１０の内部に密閉空間Ｒを有する。電解タンク１０は、筒中心線ａを上下方向ＵＤに向けて配置される。電解タンク１０は、上筒端１０Ａを上下方向ＵＤの上方に向けて配置される。
電解タンク１０は、図１乃至図５、図８及び図１１に示すように、タンク流入口１４（流入口）及びタンク流出口１５（流出口）を有する。
【００１３】
タンク流入口１４は、図３、図５及び図８に示すように、上下方向ＵＤ（筒中心線ａの方向）において、電解タンク１０の上筒端１０Ａに第１間隔δ１（第１高さ間隔）を隔てて配置される。タンク流入口１４は、上下方向ＵＤと直交する方向（筒中心線ａと直交する方向）において、電解タンク１０を貫通して、密閉空間Ｒに連通される。タンク流入口１４は、電解タンク１０内（密閉空間Ｒ）に開口して、電解タンク１０内（密閉空間Ｒ）に水を流入する。
これにより、電解タンク１０は、タンク流入口１４から流入される水を密閉空間Ｒに貯留する。
【００１４】
タンク流出口１５は、図５及び図８に示すように、上下方向ＵＤにおいて、タンク流入口１４に第２間隔δ２（第１高さ間隔）を隔てて下筒端１０Ｂ側に配置される。タンク流出口１５は、上下方向ＵＤと直交する方向（筒中心線ａと直交する方向）において、電解タンク１０を貫通して、密閉空間Ｒに連通される。タンク流出口１５は、電解タンク１０内に開口して、電解タンク１０内（密閉空間Ｒ）から気体及び水を流出する。タンク流出口１５は、気液流入管３に接続される。
【００１５】
第１及び第２電極１１，１２は、図２、図８、図９及び図１１に示すように、電解タンク１０の内周面１０Ｃに接触することなく、非接触で電解タンク１０内（密閉空間Ｒ）に配置される。第１及び第２電極１１，１２は、上下方向ＵＤにおいて、電解タンク１０の下筒端１０Ｂ及びタンク流入口１４の間に配置される。
第１及び第２電極１１，１２は、例えば、円柱状の電極軸である（以下、「第１電極軸１１、第２電極軸１２」という）。第１及び第２電極軸１１，１２は、鉄、銅、ステンレス、チタン、白金、金、イリジウム、パラジウム等の金属で形成される。第１及び第２電極軸１１，１２は、例えば、チタンにて軸直径ｄｘの円柱（丸棒）に形成される。
【００１６】
第１電極軸１１は、図２、図８、図９及び図１１に示すように、軸中心線ｂを上下方向ＵＤに向け、電解タンク１０の内周面１０Ｃに配置間隔εを隔てて、電解タンク１０内（密閉空間Ｒ）に配置される。第１電極軸１１は、一方の軸端１１Ａ側（上軸端側）を下筒端１０Ｂから電解タンク１０内（密閉空間Ｒ）に延在して、電解タンク１０に固定される。第１電極軸１１（第１電極）は、上下方向ＵＤにおいて、下筒端１０Ｂ及びタンク流入口１４の間に延在される。第１電極軸１１は、上下方向ＵＤにおいて、例えば、下筒端１０Ｂからタンク流入口１４まで延在される。第１電極軸１１は、第１電極軸１１の軸中心線ｂを電解タンク１０の筒中心線ａに平行して、下筒端１０Ｂ及びタンク流入口１４の間に配置される。
第１電極軸１１は、上下方向ＵＤ（筒中心線ａの方向）において、他方の軸端１１Ｂ（下軸端）を電解タンク１０内から外側に突出して、電解タンク１０に固定される。
【００１７】
第２電極軸１２は、図２、図８、図９及び図１１に示すように、軸中心線ｃを上下方向ＵＤに向け、電解タンク１０の内周面１０Ｃに配置間隔εを隔てて、電解タンク１０内（密閉空間Ｒ）に配置される。第２電極軸１２は、一方の軸端１２Ａ側（上軸端側）を下筒端１０Ｂから電解タンク１０内（密閉空間Ｒ）に延在して、電解タンク１０に固定される。第２電極軸１２は、上下方向ＵＤ（筒中心線ａの方向）と直交する方向において、第１電極軸１１に電極間隔σを隔てて配置される。第２電極軸１２は、上下方向ＵＤにおいて、下筒端１０Ｂ及びタンク流入口１４の間に延在される。第２電極軸１２は、上下方向ＵＤにおいて、例えば、下筒端１０Ｂからタンク流入口１４まで延在される。第２電極軸１２は、第２電極軸１２の軸中心線ｃを電解タンク１０の筒中心線ａ、及び第１電極軸１１の軸中心線ｂに平行して、下筒端１０Ｂ及びタンク流入口１４の間に配置される。
第２電極軸１２は、上下方向ＵＤにおいて、他方の軸端１２Ｂ（下軸端）を電解タンク１０内から外側に突出して、電解タンク１０に固定される。
【００１８】
電極電源１３は、図２に示すように、第１及び第２電極軸１１，１２（第１及び第２電極）に接続される。電極電源１３は、第１及び第２電極軸１１，１２の他方の軸端１１Ｂ，１２Ｂに接続される。電極電源１３は、例えば、直流電源（電極直流電源）であって、第１及び第２電極軸１１，１２（第１及び第２電極）の間に電圧（直流電圧）を印加する。
これにより、電解装置１は、第１及び第２電極軸１１，１２（第１及び第２電極）の間に直流電圧（電圧）を印加して、電解タンク１０内（密閉空間Ｒ）に貯留した水を電気分解する。
なお、電極電源１３は、交流電源であっても良く、電解装置１は、第１及び第２電極軸１１，１２（第１及び第２電極）の間に交流電圧（電圧）を印加して、電解タンク１０内（密閉空間Ｒ）に貯留した水を電気分解する。
【００１９】
電解装置１は、図１及び図２に示すように、給水管１７に接続される。給水管１７は、電解装置１（電解タンク１０）及び給水ポンプ１８に接続される。
電解装置１は、電解タンク１０のタンク流入口１４に給水管１７を接続して、電解タンク１０を給水ポンプ１８に連通する。
これにより、電解タンク１０は、タンク流入口１４及び給水管１７（給水管路）を通して、密閉空間Ｒを給水ポンプ１８に連通する。
給水ポンプ１８は、水源（図示しない）から水を吸引し、給水管１７に水（圧力水）を吐出して、給水管１７及びタンク流入口１４を通して水を密閉空間Ｒ（電解タンク１０内）に流入（供給）する。
【００２０】
バブル水発生装置２は、図１に示すように、電解タンク１０から電気分解で発生した気体（水素、酸素）及び水を流入する。バブル水発生装置２は、電気分解で発生した気体及び水から微細気泡（ファインバブル）を含有する微細気泡水（ファインバブル水）を生成し、生成した微細気泡水（ファンバブル水）を流出する。
微細気泡（ファインバブル）を含有する微細気泡水とは、微細気泡（ファンバブル）の混入、溶け込んだ微細気泡水（ファインバブル水）である。
【００２１】
バブル水発生装置２は、図１、図１２乃至図３５に示すように、バブル攪拌器Ｍ、及びバブル噴射器Ｎを備える。
【００２２】
バブル攪拌器Ｍは、図１５及び図２３に示すように、バブル噴射器Ｎに接続（連結）され、バブル噴射器Ｎで発生した微細気泡水ＢＷ（ファインバブル水）が流入される。バブル攪拌器Ｍは、流入された微細気泡水ＢＷ中の気泡を攪拌（粉砕）して、微細気泡（ファインバブル）が高濃度で含有された微細気泡水（ファインバブル水）を流出する。
バブル攪拌器Ｍは、図１２乃至図３３に示すように、流れ筒体２１、及び複数の乱流筒体８（第１及び第２乱流筒体８Ｘ，８Ｙ）を備える。
【００２３】
流れ筒体２１は、図１４及び図１５に示すように、流れ穴２３（流れ円穴）、流れ穴２３に開口する攪拌流入口２４（流入口）、及び流れ穴２３に開口する攪拌流出口２５（流出口）を有する。流れ筒体２１には、微細気泡水が攪拌流入口２４から流れ穴２３に流入（噴射）され、及び攪拌流出口２５から流出される。
【００２４】
流れ筒体２１は、図１２乃至図２９に示すように、円筒状に形成される。流れ筒体２１（流れ円筒体）は、第１流れ筒本体２６（上側流れ筒本体）、及び第２流れ筒本体２７（下側流れ筒本体）を有する。
【００２５】
第１流れ筒本体２６は、図２５乃至図２７に示すように、円筒状に形成される。第１流れ筒本体２６は、第１筒部２８、第１ネジ筒部２９、第１フランジ部３０、第１案内板部３１、複数の流出案内溝３２、複数の抜止め片３３及び第１整流突起３４を有する。
【００２６】
第１筒部２８は、図２６及び図２７に示すように、第１流れ穴部３５（第１流れ円穴部）を有する。第１流れ穴部３５は、第１流れ筒本体２６の筒中心線ｄと同心に配置される。第１流れ穴部３５は、第１流れ筒本体２６の筒中心線ｄの方向Ｄに延在して、第１筒部２８の一方の筒端２８Ａに開口する。
【００２７】
第１ネジ筒部２９は、図２５及び図２７に示すように、第１筒部２８と一体に形成されて、第１筒部２８と同心に配置される。第１ネジ筒部２９は、第１筒部２８の他方の筒端２８Ｂから第１流れ筒本体２６の筒中心線ｄの方向Ｄに延在される。
【００２８】
第１フランジ部３０は、図２５乃至図２７に示すように、円環板に形成される。第１フランジ部３０は、第１流れ筒本体２６の筒中心線ｄの方向Ｄにおいて、第１筒部２８の一方の筒端２８Ａ側に配置されて、第１筒部２８と一体に形成される。第１フランジ部３０は、第１筒部２８の外周面から第１流れ筒本体２６の径外方に突出される。
【００２９】
第１案内板部３１は、図２５（ａ）、図２６及び図１７に示すように、第１筒部２８と一体に形成される。第１案内板部３１は、第１筒部２８他方の筒端２８Ｂ側に配置されて、第１筒部２８の他方の筒端２８Ｂを閉塞する。
第１案内板部３１は、流れ流出穴部３７を有する。流れ流出穴部３７は、第１流れ筒本体２６の筒中心線ｄと同心に配置される。流れ流出穴部３７は、第１流れ筒本体２６の筒中心線ｄの方向Ｄにおいて、第１案内板部３１を貫通して、第１案内板部３１の表板面３１Ａ（他方の筒端２８Ｂ）及び裏板面３１Ｂに開口する。流れ流出穴部３７は、第１案内板部３１を貫通して、第１ネジ筒部２９内、及び第１流れ穴部３５に連通される。流れ流出穴部３７は、第１案内板部３１の表板面３１Ａ（他方の筒端２８Ｂ）に開口して、第１流れ筒本体２６の他方の筒端２６Ｂに攪拌流出口２５を形成する。攪拌流出口２５は、第１案内板部３１の表板面３１Ａ（他方の筒端２８Ｂ）に開口され、及び流れ流出穴部３７を通して第１流れ穴部３５に開口される。
【００３０】
各流出案内溝３２は、図２４、図２６及び図２７に示すように、例えば、４つ（４つの流出案内溝）を第１案内板部３１に形成する。各流出案内溝３２は、第１流れ筒本体２６の周方向に間隔（等間隔：角度９０度の間隔）を隔てて配置される。各流出案内溝３２は、第１流れ筒本体２６の周方向に溝幅Ｈを有して、第１案内板部３１の表板面３１Ａ及び裏板面３１Ｂの間に形成される。各流出案内溝３２は、図２５に示すように、第１案内板部３１の攪拌流出口２５（第１案内板部３１の表板面３１Ａ）から、第１流れ筒本体２６の筒中心線ｄの方向Ｄ及び径外方に延在しつつ傾斜して、第１案内板部３１の裏板面３１Ｂまで延在される。
【００３１】
各抜止め片３３は、図２６及び図２７に示すように、例えば、４つ（４つの抜止め片）を第１案内板部３１と一体に形成する。各抜止め片３３は、第１流れ筒本体２６の周方向に間隔（等間隔：角度９０度の間隔）を隔てて配置される。各抜止め片３３は、第１流れ筒本体２６の周方向において、各流出案内溝３２の間に形成される。各抜止め片３３は、第１流れ筒本体２６の周方向の両側において、各流出案内溝３２に隣接して配置される。
各抜止め片３３は、第１流れ筒本体２６の筒中心線ｄの方向Ｄに第１案内板部３１と同一の片厚さ、第１流れ筒本体２６の周方向に片幅Ｔを有して、第１流れ筒本体２６の径方向に延在される。各抜止め片３３は、第１流れ筒本体２６の径外方において、各流出案内溝３２の下端（第１案内板部３１の裏板面３１Ｂと交差する下端）から流れ流出穴部３７（攪拌流出口２５）まで延在されて、各流出案内溝３２及び流れ流出穴部３７の間に配置される。各抜止め片３３の片幅Ｔは、各流出案内溝３２の溝幅Ｈより小幅である。
【００３２】
各第１整流突起３４は、図２６及び図２７に示すように、例えば、８つ（８つの第１整流突起）を第１筒部２８と一体に形成する。各第１整流突起３４は、第１流れ筒本体２６の周方向に間隔（等間隔：角度４５度の間隔）を隔てて配置される。各第１整流突起３４は、第１流れ筒本体２６の筒中心線ｄの方向Ｄにおいて、各抜止め片３３及び第１筒部２８の一方の筒端２８Ａの間に延在される。各第１整流突起３４は、例えば、球冠状（半球状）の断面に形成される。
各第１整流突起３４は、第１流れ穴部３５（第１筒部２８の内周面）から突出量Ｐを有して、第１流れ筒本体２６の筒中心線ｄに向けて突出される。
【００３３】
第２流れ筒本体２７は、図２８及び図２９に示すように、円筒状に形成される。第２流れ筒本体２７は、第２筒部４１、第２ネジ筒部４２、第２フランジ部４３、第２案内板部４４、及び複数の第２整流突起４７を有する。
【００３４】
第２筒部４１は、図２９に示すように、第２流れ穴部４８（第２流れ円穴部）を有する。第２流れ穴部４８は、第２流れ筒本体２７の筒中心線ｄと同心に配置される。第２流れ穴部４８は、第２流れ筒本体２７の筒中心線ｄの方向Ｄに延在して、第２筒部４１の一方の筒端４１Ａに開口される。
【００３５】
第２ネジ筒部４２は、図２８及び図２９に示すように、第２筒部４１と一体に形成されて、第２筒部４１と同心に配置される。第２ネジ筒部４２は、第２筒部４１の他方の筒端４１Ｂから第２流れ筒本体２７の筒中心線ｄの方向Ｄに延在される。
【００３６】
第２フランジ部４３は、図２８及び図２９に示すように、円環板に形成される。第２フランジ部４３は、第２流れ筒本体２７の筒中心線ｄの方向Ｄにおいて、第２筒部４１の一方の筒端４１Ａ側に配置されて、第２筒部４１と一体に形成される。第２フランジ部４３は、第２筒部４１の外周面から第２流れ筒本体２７の径外方に突出される。
【００３７】
第２案内板部４４は、図２８（ｂ）及び図２９に示すように、第２筒部４１と一体に形成される。第２案内板部４４は、第２筒部４１の他方の筒端４１Ｂ側に配置されて、第２筒部４１の他方の筒端４１Ｂを閉塞する。第２案内板部４４は、流れ流入穴部５０を有する。流れ流入穴部５０は、第２流れ筒本体２７の筒中心線ｄと同心に配置される。流れ流入穴部５０は、第２流れ筒本体２７の筒中心線ｄの方向Ｄにおいて、第２案内板部４４を貫通して、第２案内板部４４の表板面４４Ａ（他方の筒端４１Ｂ）及び裏板面４４Ｂに開口する。流れ流入穴部５０は、第２案内板部４４を貫通して、第２ネジ筒部４２内、及び第２流れ穴部４８に連通される。流れ流入穴部５０は、第２案内板部４４の表板面４４Ａ（他方の筒端４１Ｂ）に開口して、第２筒部４１の他方の筒端４１Ｂに攪拌流入口２４を形成する。
攪拌流入口２４は、第２案内板部４４の表板面４４Ａ（他方の筒端４１Ｂ）に開口され、及び流れ流入穴部５０を通して第２流れ穴部４８に開口される。
【００３８】
各第２整流突起４７は、図２９に示すように、例えば、８つ（８つの第２整流突起）を第２筒部４１と一体に形成する。各第２整流突起４７は、第２流れ筒本体２７の周方向に間隔（等間隔：角度４５度の間隔）を隔てて配置される。各第２整流突起４７は、第２流れ筒本体２７の筒中心線ｅの方向Ｅにおいて、第２案内板部４４及び第２筒部４１の一方の筒端４１Ａの間に延在される。各第２整流突起４７は、例えば、球冠状（半球状）の断面に形成される。
各第２整流突起４７は、第２流れ穴部４８（第２筒部４１の内周面）から突出量Ｐを有して、第２流れ筒本体２７の筒中心線ｄに向けて突出される。
【００３９】
流れ筒体２１は、図１２乃至図１５に示すように、第１流れ筒本体２６、及び第２流れ筒本体２７を組み合わせて構成される。
第１流れ筒本体２６は、第１フランジ部３０（上フランジ）を第２流れ筒本体２７の第２フランジ部４３（下フランジ）に対向して配置される。
第１及び第２流れ筒本体２６，２７は、図１２、図１４及び図１５に示すように、第１筒部２８の一方の筒端２８Ａ及び第２筒部４１の一方の筒端４１Ａを密接し、第１フランジ部３０の裏板面及び第２フランジ部４３の裏板面を密接して、流れ筒体２１の筒中心線ｄの方向Ｄ（上下方向）に連続して配置される。
【００４０】
第１及び第２流れ筒本体２６，２７は、第１及び第２筒部２８，４１（第１及び第２流れ穴部３５，４８）の筒中心線ｄ（穴中心線ｄ）を一致して、同心に配置される。
これにより、流れ筒体２１は、上側の第１流れ筒本体２６、及び下側の第１流れ筒本体２７によって構成され、第１及び第２流れ穴部３５，４８（第１及び第２筒部２８，４１）にて流れ穴２３が形成される。
流れ穴２３は、流れ筒体２１の筒中心線ｄの方向Ｄにおいて、第１筒部２８の他方の筒端２８Ｂ（第１案内板部３１の表板面３１Ａ）に開口する攪拌流入口２４に連続し、及び第２筒部４１の他方の筒端４１Ｂ（第２案内板部４４の表板面４４Ａ）に開口する攪拌流出口２５に連続する。攪拌流入口２４は、流れ流入穴部５０を通して流れ穴２３（第２流れ穴部４８）に開口する。攪拌流出口２５は、流れ流出穴部３７を通して流れ穴２３（第１流れ穴部３５）に開口する。
【００４１】
流れ筒体２１において、第１及び第２流れ筒本体２６，２７は、図１２乃至図１５に示すように、第１及び第２フランジ部３０，４３を複数のボルト及び複数のナットにて締付けられて、第１及び第２筒部２８，４１の一方の筒端２８Ａ，４１Ａを密着して連結される。
【００４２】
各乱流筒体８は、図３０乃至図３３に示すように、一方の筒端８ａが開口され、及び他方の筒端８ｂが閉塞された円筒状に形成される。各乱流筒体８は、筒外径Ｄａ（外周直径）、及び筒内径ｄａ（内周直径）を有する。各乱流筒体８において、筒外径Ｄａは、流れ穴２３（流れ円穴）の穴直径より小径である。
【００４３】
各乱流筒体８の他方の筒端８ｂ（閉塞筒端）は、図３０乃至図３２に示すように、例えば、乱流筒体８の筒中心線ｆの方向Ｆに突出する球冠状（半球状）に形成される。
【００４４】
各乱流筒体８は、第１乱流筒体８Ｘ、及び第２乱流筒体８Ｙで構成される。
【００４５】
各第１乱流筒体８Ｘは、図３０及び図３１に示すように、噴射絞り穴５５、複数（一対）の第１流通穴５６（流通穴）、及び複数（一対）の第１流出絞り穴５７を有する。
【００４６】
噴射絞り穴５５（噴射絞り円穴）は、図３０（ｃ）及び図３１に示すように、第１乱流筒体８Ｘの筒中心線ｆと同心に配置される。噴射絞り穴５５は、第１乱流筒体８Ｘの筒中心線ｆの方向Ｆにおいて、他方の筒端８ｂを貫通して、第１乱流筒体８Ｘの内外に開口する。
【００４７】
各第１流通穴５６は、図３０（ｂ）及び図３１に示すように、第１乱流筒体８Ｘの筒中心線ｆの方向Ｆにおいて、一方の筒端８ａ側に配置される。各第１流通穴５６は、第１乱流筒体８Ｘの周方向に等間隔（角度１８０度の間隔）を隔てて配置される。
各第１流通穴５６（流通穴）は、第１乱流筒体８Ｘの筒中心線ｆと直交（交差）する方向において、第１乱流筒体８Ｘを貫通して、第１乱流筒体８Ｘの外周面８ｃ及び内周面８ｄ、一方の筒端８ａに開口する。
【００４８】
各第１流出絞り穴５７（第１流出絞り円穴）は、図３０（ａ）及び図３１に示すように、第１乱流筒体８Ｘの筒中心線ｆの方向Ｆにおいて、一方の筒端８ａから穴間隔βを隔てて、各第１流通穴５６及び他方の筒端８ｂの間に配置される。
各第１流出絞り穴５７は、第１乱流筒体８Ｘの周方向に等間隔（角度１８０度の間隔）を隔てて、各第１流通穴５６の間に配置される。各第１流出絞り穴５７は、第１乱流筒体８Ｘの周方向において、各第１流通穴５６に間隔（例えば、角度９０度の間隔）を隔てて配置される。
各第１流出絞り穴５７は、第１乱流筒体８Ｘの筒中心線ｆと直交（交差）する方向において、第１乱流筒体８Ｘを貫通して、第１乱流筒体８Ｘの外周面８ｃ及び内周面８ｄに開口する。
【００４９】
第２乱流筒体８Ｙは、図３２及び図３３に示すように、複数（一対）の第２流通穴６６（流通穴）、及び複数（一対）の第２流出絞り穴６７（流出絞り穴）を有する。
【００５０】
各第２流通穴６６は、図３２（ｂ）及び図３３に示すように、第２乱流筒体８Ｙの筒中心線ｆの方向Ｆにおいて、一方の筒端８ａ側に配置される。各第２流通穴６６は、第２乱流筒体８Ｙの周方向に等間隔（角度１８０度の間隔）を隔てて配置される。
各第２流通穴６６は、第２乱流筒体８Ｙの筒中心線ｆと直交（交差）する方向において、第２乱流筒体８Ｙを貫通して、第２乱流筒体８Ｙの外周面８ｃ及び内周面８ｄ、一方の筒端８ａに開口する。
【００５１】
各第２流出絞り穴６７（第２流出絞り円穴）は、図３２（ｂ）及び図３３に示すように、第２乱流筒体８Ｙの筒中心線ｆの方向Ｆにおいて、一方の筒端８ａから穴間隔βを隔てて、各第２流通穴６６及び他方の筒端８ｂの間に配置される。
各第２流出絞り穴６７は、第２乱流筒体８Ｙの周方向に等間隔（角度１８０度の間隔）を隔てて、各第２流通穴６６の間に配置される。各第２流出絞り穴６７は、第２乱流筒体８Ｙの周方向において、各第２流通穴６６に間隔（例えば、角度９０の間隔）を隔てて配置される。
各第２流出絞り穴６７は、第２乱流筒体８Ｙの筒中心線ｆと直交（交差）する方向において、第２乱流筒体８Ｙを貫通して、第２乱流筒体８Ｙの外周面８ｃ及び内周面８ｄに開口する。
【００５２】
各乱流筒体８（第１及び第２乱流筒体８Ｘ，８Ｙ）は、図１４乃至図２２に示すように、流れ穴２３の穴中心線ｄ（流れ筒体２１の筒中心線ｄ）の方向Ｄにおいて、攪拌流入口２４及び攪拌流出口２５の間の流れ穴２３に配置される。各乱流筒体８は、一方の筒端８ａ（開口筒端）を攪拌流入口２４側（攪拌流入口２４）に向け、及び他方の筒端８ｂ（閉塞筒端）を攪拌流出口１５側（攪拌流出口１５）に向けて、流れ穴２３の穴中心線ｄの方向Ｄに複数列（複数／複数個）、隣接して並列される。
各乱流筒体８は、例えば、流れ穴２３の穴中心線ｄの方向Ｄに複数であって、奇数列（奇数／奇数個）、隣接して並列される。各乱流筒体８は、攪拌流入口２４側（攪拌流入口２４）から奇数番目（奇数列目）に第１乱流筒体８Ｘを配置し、及び攪拌流入口１４側（攪拌流入口２４）から偶数番目（偶数列目）に第２乱流筒体８Ｙを配置して、流れ穴２３に隣接して並列される。各乱流筒体８は、流れ穴２３の穴中心線ｄの方向Ｄにおいて、攪拌流入口２４側（攪拌流入口２４）から攪拌流出口２５側（攪拌流出口２５）に向けて、１番目（１列目）、２番目（２列目）、３番目（３列目）、４番目（４列目）、…、Ｎ番目（Ｎ列目）となる（Ｎ＝２，３，４，…）。
これにより、各乱流筒体８は、流れ穴２３の穴中心線ｄ（流れ筒体２１の筒中心線ｄ）の方向Ｄにおいて、攪拌流入口２４側から攪拌流出口２５側に向けて、第１乱流筒体８Ｘ、第２乱流筒体８Ｙを交互に配置して、流れ穴２３に隣接して並列される。
【００５３】
各乱流筒体８（第１及び第２乱流筒体８Ｘ，８Ｙ）は、図１４、図１５、及び図１７乃至図２２に示すように、流れ穴２３（流れ穴２３の穴内周面２３Ａ）に第１流れ隙間δＡ（流れ隙間）を隔てて、相互に同心に配置され、及び流れ穴２３の穴中心線ｄ（流れ筒体２１の筒中心線ｄ）と同心に配置される。
各乱流筒体８（第１及び第２乱流筒体８Ｘ，８Ｙ）は、第１流れ筒本体２６の各第１整流突起３４、又は第２流れ筒本体２７の各第２整流突起４７に第２流れ隙間δＢを隔てて、相互に同心に配置され、及び流れ穴２３（流れ筒体２１）の穴中心線ｄと同心に配置される。
これにより、各乱流筒体８（第１及び第２乱流筒体８Ｘ，８Ｙ）は、流れ穴２３の穴内周面２３Ａ、各第１及び第２整流突起３４，４７の間に、第１流れ隙間δＡ、又は第２流れ隙間δＢの案内流路Ｑ（層流流路）を形成する。案内流路Ｑは、流れ穴２３の穴中心線ｄ（流れ筒体２１の筒中心線ｄ）の方向Ｄに延在される。
【００５４】
攪拌流入口２４（攪拌流入口２４）から奇数番目（奇数列目）の第１乱流筒体８Ｘ（乱流筒体８）において、噴射絞り穴５５は、図１５に示すように、流れ穴２３の穴中心線ｄの方向Ｄにおいて、奇数番目の第１乱流筒体８Ｘの他方の筒端８ｂ（閉塞筒端）を貫通する。
【００５５】
奇数番目の第１乱流筒体８Ｘにおいて、各第１流通穴５６は、図１５、及び図１７乃至図２２に示すように、奇数番目の第１乱流筒体８Ｘの一方の筒端８ａ（開口筒端）に配置される。各第１流通穴５６は、流れ穴２３の周方向（流れ筒体２１の周方向）に等間隔（角度１８０度の間隔）を隔てて配置される。各第１流通穴５６は、流れ穴２３の穴中心線ｄと直交（交差）する方向において、奇数番目の第１乱流筒体８Ｘを貫通して、第１及び第２流れ隙間δＡ，δＢ（案内流路Ｑ）、及び一方の筒端８ａ（開口筒端）に開口する。
【００５６】
奇数番目の第１乱流筒体８Ｘにおいて、各第１流出絞り穴５７は、図１５、図１７乃至図２２に示すように、流れ穴２３の周方向に等間隔（角度１８０度の間隔）を隔てて、各第１流通穴５６の間に配置される。各第１流出絞り穴５７は、流れ穴２３の穴中心線ｄと直交する（交差）する方向において、奇数番目の第１乱流筒体８Ｘ（乱流筒体８）を貫通して、第１及び第２流れ隙間δＡ，δＢ（案内流路Ｑ）に開口する。
【００５７】
奇数番目の各第１乱流筒体８Ｘは、図１４及び図１５に示すように、攪拌流入口２４側（攪拌流入口２４）から偶数番目（偶数列目）の第２乱流筒体８Ｙのうち、隣接する偶数番目の各第２乱流筒体８Ｙの一方の筒端８ａ（開口筒端）を閉塞して配置される。
奇数番目の各第１乱流筒体８Ｘは、流れ穴２３の穴中心線ｄの方向Ｄ（流れ筒体２１の筒中心線ｄの方向Ｄ）から他方の筒端８ｂ（閉塞筒端）を、隣接する偶数番目の第２乱流筒体８Ｙの一方の筒端８ａ（開口筒端）に当接して、隣接する偶数番目の第２乱流筒体８Ｙの一方の筒端８ａを閉塞する。
これにより、攪拌流入口２４側から偶数番目の第２乱流筒体８Ｙは、一方の筒端８ａ（開口筒端）を、隣接する奇数番目の第１乱流筒体８Ｘの他方の筒端８ｂ（閉塞筒端）にて閉塞して形成される乱流空間ＣＡ（内部空間）を有する。偶数番目の第２乱流筒体８Ｙにおいて、乱流空間ＣＡは、各第２流通穴６６、及び各第２流出絞り穴６７を通して案内流路Ｑに連通される。
【００５８】
攪拌流入口２４側から１番目（１列目）の第１乱流筒体８Ｘは、図１５に示すように、一方の筒端８ａ（開口筒端）を、第２流れ筒本体２７の第２案内板部４４の裏板面４４Ｂ（第２筒部４１の他方の筒端４１Ｂ）に当接して、流れ穴２３に配置される。
これにより、攪拌流入口２４側から１番目の第１乱流筒体８Ｘは、一方の筒端８ａを第２案内板部４４（他方の筒端４１Ｂ）にて閉塞して形成される乱流空間ＣＡ（内部空間）を有する。１番目の第１乱流筒体８Ｘにおいて、乱流空間ＣＡは、図２１及び図２２に示すように、各第１流通穴５６、及び各第１流出絞り穴５７を通して案内流路Ｑに連通される。
【００５９】
攪拌流入口２４側から１番目の第１乱流筒体８Ｘは、図１５に示すように、一方の筒端８ａから乱流空間ＣＡを攪拌流入口２４に連通する。１番目の第１乱流筒体８Ｘにおいて、乱流空間ＣＡは、攪拌流入口２４、第２流れ筒本体２７の流れ流入穴部５０を通して、第２ネジ筒部４２内に連通される。
【００６０】
奇数番目の各第１乱流筒体８Ｘのうち、攪拌流入口２４側（攪拌流入口２４）から最終番目（最終列目／Ｎ番目，Ｎ列目）の第１乱流筒体８Ｘは、図１５及び図１６に示すように、他方の筒端８ｂ（閉塞筒端）を、第１流れ筒本体２６の各抜止め片３３に当接して、流れ穴２３に配置される。
【００６１】
最終番目の第１乱流筒体８Ｘは、図１５、図１６及び図２４に示すように、他方の筒端８ｂ（閉塞筒端）を各抜止め片３３に当接して、各流出案内溝３２及び他方の筒端８ｂの間に複数の案内流出路Ｓ（案内流出路）を形成する。各案内流出路Ｓは、案内流路Ｑ及び流れ流出穴部３７（攪拌流出口２５）に連通する。案内流路Ｑは、各案内流出路Ｓ、流れ流出穴部３７を通して攪拌流出口２５に連通される。
最終番目の第１乱流筒体８Ｘにおいて、噴射絞り穴５５は、図１５及び図２４に示すように、第１流れ筒本体２６の流れ流出穴部３７に開口されて、流れ流出穴部３７を通して攪拌流出口２５に連通される。
【００６２】
攪拌流入口１４側（攪拌流入口１４）から偶数番目の第２乱流筒体８Ｙにおいて、各第２流通穴６６は、図１５及び図２０に示すように、流れ穴２３の周方向に等間隔（角度１８０度の間隔）を隔てて配置される。各第２流通穴６６は、流れ穴２３の穴中心線ｄと直交（交差）する方向において、偶数番目の第２乱流筒体８Ｙを貫通して、第１及び第２流れ隙間δＡ，δＢ（案内流路Ｑ）、及び一方の筒端８ａ（開口筒端）に開口する。
【００６３】
偶数番目の第２乱流筒体８Ｙにおいて、各第２流出絞り穴６７（流出絞り穴）は、図１５及び図１９に示すように、流れ穴２３の周方向に等間隔（角度１８０度の間隔）を隔てて、各第２流通穴６６の間に配置される、各第２流出絞り穴６７は、流れ穴２３の穴中心線ｄと直交（交差）する方向において、偶数番目の第２乱流筒体８Ｙを貫通して、第１及び第２流れ隙間δＡ，δＢ（案内通路Ｑ）に開口する。
【００６４】
偶数番目の第２乱流筒体８Ｙは、図１４及び図１５に示すように、隣接する奇数番目の第１乱流筒体８Ｘの一方の筒端８ａ（開口筒端）を閉塞して配置される。
偶数番目の第２乱流筒体８Ｙは、流れ穴２３の穴中心線ｄの方向Ｄから他方の筒端８ｂ（閉塞筒端）を、隣接する奇数番目の第１乱流筒体８Ｘの一方の筒端８ａ（開口筒端）に当接して、隣接する奇数番目の第１乱流筒体８Ｘの一方の筒端８ａを閉塞する。
これにより、攪拌流入口２４側から１番目を除く奇数番目の第１乱流筒体８Ｘは、一方の筒端８ａ（開口筒端）を、隣接する偶数番目（偶数列目）の第２乱流筒体８Ｙの他方の筒端８ｂ（閉塞筒端）にて閉塞して形成される乱流空間ＣＡ（内部空間）を有する。１番目を除く奇数番目の第１乱流筒体８Ｘにおいて、乱流空間ＣＡは、図１７及び図１８に示すように、第１流通穴５６及び第１流出絞り穴５７を通して案内経路Ｑ（第１及び第２流れ隙間δＡ，δＢ）に連通され、噴射絞り穴５５を通して隣接する偶数番目の第２乱流筒体８Ｙ内（乱流空間ＣＡ）に連通される。
このように、各乱流筒体８は、第１及び第２乱流筒体８Ｘ，８Ｙを、流れ穴２３の穴中心線ｄの方向Ｄに奇数列（複数列）、隣接して並列することで、筒外径Ｄａの円筒体を構成（形成）する。
各乱流筒体８（第１及び第２乱流筒体８Ｘ，８Ｙ）は、第２案内板部４４及び各抜止め片３３によって、流れ穴２３の穴中心線の方向Ｄへの移動が規制されて、流れ穴２３の穴中心線ｄの方向Ｄに抜止めされる。
【００６５】
バブル攪拌器Ｍにおいて、各乱流筒体８は、図１４乃至図２４に示すように、例えば、流れ穴２３の穴中心線ｄの方向Ｄに３列（奇数列）、隣接して並列される。
３つの乱流筒体８は、攪拌流入口２４及び攪拌流出口２５の間の流れ穴２３に配置される。各乱流筒体８は、攪拌流入口２４側（攪拌流入口２４）から１番目（１列目）に第１乱流筒体８Ｘ、２番目（２列目）に第２乱流筒体８Ｙ、及び３番目（３列目）に第１乱流筒体８Ｘを配置して、複数（２つ）の第１乱流筒体８Ｘ、及び１つの第２乱流筒体８Ｙを隣接して並列する。１番目及び３番目の第１乱流筒体８Ｘは、奇数番目（奇数列目）となり、２番目の第２乱流筒体８Ｙは、偶数番目（偶数列目）となる。３番目の第１乱流筒体８Ｘは、最終番目（最終列目）となる。攪拌流入口２４側から２番目の第２乱流筒体８Ｙは、攪拌流入口２４から１番目、３番目（奇数番目）の第１乱流筒体８Ｘの間に配置される。
【００６６】
バブル攪拌器Ｍにおいて、各乱流筒体８（第１及び第２乱流筒体８Ｘ，８Ｙ）は、流れ穴２３の穴中心線ｄの方向Ｄに複数であって、偶数列（偶数／偶数個）、隣接して並列しても良い。各乱流筒体８を偶数列、隣接して並列すると、攪拌流入口２４側（攪拌流入口２４）から最終番目（偶数番目／Ｎ番目）の乱流筒体８は、第２乱流筒体８Ｙとなる。最終番目（偶数番目）の第２乱流筒体８Ｙは、図２４で説明したと同様に、他方の筒端８ｂを各抜止め片３３に当接して配置されて、第１流れ筒本体２６の各流出案内溝３２及び他方の筒端８ｂの間に複数の案内流出路を形成する。
【００６７】
バブル噴射器Ｎは、図３４及び図３５に示すように、バブル筒本体７１を備える。バブル筒本体７１は、バブル発生穴７２、及びネジ部７３を有する。
【００６８】
バブル発生穴７２は、図３４（ｂ）及び図３５に示すように、バブル筒本体７１の筒中心線ｇと同心に配置される。バブル発生穴７２は、バブル筒本体７１の筒中心線ｇの方向Ｇにおいて、バブル筒本体７１を貫通して、バブル筒本体７１の各筒端７１Ａ，７１Ｂに開口する。バブル発生穴７２は、ネジ穴部７４、広角穴部７５、噴出絞り穴部７６、中継穴部７７、及び複数の導入穴部７８を有する。
【００６９】
ネジ穴部７４は、図３５に示すように、バブル筒本体７１の一方の筒端７１Ａ側に配置される。ネジ穴部７４は、バブル筒本体７１の筒中心線ｇの方向Ｇに延在して、バブル筒本体７１の一方の筒端７１Ａに開口する。
【００７０】
広角穴部７５は、図３４（ｂ）及び図３５（ｂ）に示すように、バブル筒本体７１の他方の筒端７１Ｂ側に配置される。広角穴部７５は、ネジ穴部７４と同心に配置される。広角穴部７５は、バブル筒本体７１の他方の筒端７１Ｂに向けて拡径しつつ延在されて、バブル筒本体７１の他方の筒端７１Ｂに開口する。
【００７１】
噴出絞り穴部７６は、図３４（ｂ）及び図３５（ｂ）に示すように、ネジ穴部７４及び広角穴部７５の間に配置される。噴出絞り穴部７６は、広角穴部７５と同心に配置されて、広角穴部７５に開口する。噴出絞り穴部７６は、バブル筒本体７１の筒中心線ｇの方向Ｇにおいて、広角穴部７５からネジ穴部７４に向けて延在される。
【００７２】
中継穴部７７は、図３５（ｂ）に示すように、噴出絞り穴部７６及びネジ穴部７４の間に配置される。中継穴部７７は、広角穴部７５（噴出絞り穴部７６）と同心に配置されて、噴出絞り穴部７６に連通する。中継穴部７７は、噴出絞り穴部７６から拡径して、バブル筒本体７１の筒中心線ｇの方向Ｇにおいて、ネジ穴部７４に向けて延在する。
【００７３】
各導入穴部７８は、図３５に示すように、中継穴部７７及びネジ穴部７４の間に配置される。各導入穴部７８は、バブル筒本体７１の周方向に等間隔を隔てて配置される。各導入穴部７８は、バブル筒本体７１の筒中心線ｇの方向Ｇに延在して、中継穴部７７及びネジ穴部７４に開口（連通）する。
【００７４】
ネジ部７３は、図３４及び図３５（ｂ）に示すように、バブル筒本体７１の他方の筒端７１Ｂ側に配置される。ネジ部７３は、バブル筒本体７１の外周面に形成される。
【００７５】
バブル噴射器Ｎは、図１４及び図１５に示すように、バブル筒本体７１のネジ部７３を、第２流れ筒本体２７の第２ネジ筒部４２内に挿入し、ネジ部７３を第２ネジ筒部４２に螺入（螺着）して、バブル攪拌器Ｍ（第２流れ筒本体２７）に接続（連結）される。
これにより、バブル噴射器Ｎにおいて、バブル発生穴７２は、流れ穴２３の穴中心線ｄと同心に配置される。バブル噴射器Ｎにおいて、噴出絞り穴部７６は、広角穴部７５、第２ネジ筒部４２内、及び流れ流入穴部５０を通して、攪拌流入口２４に連通される。
【００７６】
バブル水発生装置２は、図１、図１２乃至図１５、及び図２４に示すように、流出管１９（バブル水流出管）に接続される。流出管１９（流出管路）は、バブル水発生装置２、及び工業用洗濯機等の水を使用する機器Ｙに接続され、微細気泡水（ファインバブル水）を機器Ｙに流出する。
バブル水発生装置２は、図１５に示すように、第１流れ筒本体２６（バブル攪拌器Ｍ）の第１ネジ筒部２９内に流出管１９の一方の管端側を螺入（螺着）して、機器Ｙに接続される。バブル水発生装置２は、攪拌流出口２５、流出管１９を通して、バブル攪拌器Ｍ（バブル水発生装置２）の攪拌流出口２５を機器Ｙに接続する。
【００７７】
気液流入管３は、図１に示すように、電解装置１及びバブル水発生装置２に接続される。気液流入管３（気液流入管路）は、電解タンク１０内（密閉空間Ｒ）から電気分解で発生した気体（水素、酸素）及び水をバブル水発生装置２に流入する。
電解装置１は、電解タンク１０のタンク流出口１５に気液流入管３の一方の管端を接続して、バブル水発生装置２（バブル噴射器Ｎ）に接続される。
バブル水発生装置２は、図１４及び図１５に示すように、バブル噴射器Ｎのネジ穴部７４内に気液流入管３の他方の筒端側を螺入（螺着）して、電解装置１（電解タンク１０のタンク流出口１５）に接続される。
【００７８】
開閉弁４は、図１に示すように、気液流入管３に配置される。開閉弁４は、電磁弁であって、気液流入管３を開閉する。開閉弁４は、閉弁して、気液流入管３を常時閉じる。開閉弁４は、閉弁によって、バブル水発生装置２を電解タンク１０から遮断する。
開閉弁４は、開弁して開かれる。開閉弁４は、開弁によって、電解タンク１０及びバブル水発生装置２を気液流入管３を通して連通する。
【００７９】
水位検出器５は、図１乃至図６、図８、図１０及び図１１に示すように、電解タンク１０（電解装置１）に配置される。水位検出器５は、上下方向ＵＤにおいて、電解タンク１０に貯留した水の水位を検出する。水位検出器５は、電解タンク１０の上筒端１０Ａ及びタンク流入口１４（流入口）の間において、電解タンク１０内（密閉空間Ｒ）の水位を検出する。
水位検出器５は、図８及び図１１に示すように、上下方向ＵＤの上筒端１０Ａ及びタンク流入口１４の間の検出位置Ｗ（上下方向ＵＤの上筒端１０Ａ及びタンク流入口１４の間に設定された検出位置Ｗ）において、電解タンク１０内（密閉空間Ｒ）の水位を検出する。
【００８０】
水位検出器５は、図８及び図１１に示すように、上下方向ＵＤ（電解タンク１０の筒中心線ａの方向Ａ）に電解タンク１０の下筒端１０Ｂから第３間隔δ３を隔てると共に、上筒端１０Ａ及びタンク流入口１４の間に位置する検出位置Ｗ（以下、「検出位置Ｗ」という）において、電解タンク１０内（密閉空間Ｒ）の水位を検出する。
検出位置Ｗは、上下方向ＵＤにおいて、タンク流入口１４（第１及び第２電極軸１１，１２の一方の軸端１１Ａ，１２Ａ）から上筒端１０Ａ側に第４間隔δ４（第４高さ間隔）を隔てる位置であり、及び下筒端１０Ｂから上筒端１０Ａ側に第３間隔δ３を隔てる位置に設定される。
【００８１】
水位検出器５は、図１乃至図６、図８、図１０及び図１１に示すように、例えば、複数（一対）の水位電極８１，８２（第１及び第２水位電極８１，８２）、及び水位計８３を有する。
【００８２】
第1及び第２水位電極８１，８２は、図２、図８及び図１１に示すように、電解タンク１０の内周面１０Ｃに接触することなく、非接触で電解タンク１０内（密閉空間Ｒ）に配置される。第１及び第２水位電極８１，８２は、上下方向ＵＤにおいて、上筒端１０Ａ及びタンク流入口１４（上筒端１０Ａ及び検出位置Ｗ）の間に配置される。
第１及び第２水位電極８１，８２は、例えば、円柱状の電極軸である（以下、「第１水位電極軸８１、第２水位電極軸８２」という）。第１及び第２水位電極軸８１，８２は、鉄、銅、ステンレス、チタン、白金、金、イリジウム、パラジウム等の金属で形成される。第１及び第２水位電極軸８１，８２は、例えば、チタンにて軸直径ｄｘの円柱（丸棒）に形成される。
【００８３】
第１水位電極軸８１は、図２、図８、図１０及び図１１に示すように、軸中心線ｐを上下方向ＵＤに向け、電解タンク１０の内周面１０Ｃに配置間隔εを隔てて、電解タンク１０内（密閉空間Ｒ）に配置される。第１水位電極軸８１は、一方の軸端８１Ａ側（下軸端側）を上筒端１０Ａから電解タンク１０内（密閉空間Ｒ）に延在して、電解タンク１０に固定される。第１水位電極軸８１は、上下方向ＵＤにおいて、上筒端１０Ａ及び検出位置Ｗの間に延在される。第１水位電極８１は、上下方向ＵＤにおいて、上筒端１０Ａから検出位置Ｗまで延在される。
第１水位電極軸８１は、上下方向ＵＤにおいて、一方の軸端８１Ａを第１及び第２電極軸１１，１２の一方の軸端１１Ａ，１２Ａ（タンク流入口１４）に第４間隔δ４を隔てて電解タンク１０内（密閉空間Ｒ）に配置される。
第１水位電極軸８１は、上下方向ＵＤにおいて、他方の軸端８１Ｂ（上軸端）を電解タンク１０内から外側に突出して、電解タンク１０に固定される。第１水位電極軸８１は、他方の軸端８１Ｂを接地して配置される。
【００８４】
第２水位電極軸８２は、図２、図８、図１０及び図１１に示すように、軸中心線ｑを上下方向ＵＤに向け、電解タンク１０の内周面１０Ｃに配置間隔εを隔てて、電解タンク１０内（密閉空間Ｒ）に配置される。第２水位電極軸８２は、一方の軸端８２Ａ側（上軸端側）を上筒端１０Ａから電解タンク１０内（密閉空間Ｒ）に延在して、電解タンク１０に固定される。
第２水位電極軸８２は、上下方向ＵＤ（筒中心線ａの方向）と直交する方向において、第１水位電極軸８１に電極間隔σを隔てて配置される。第２水位電極軸８２は、上下方向ＵＤにおいて、上筒端１０Ａ及び検出位置Ｗの間に延在される。第２水位電極軸８２は、上下方向ＵＤにおいて、上筒端１０Ａから検出位置Ｗまで延在される。第２水位電極軸８２は、第２水位電極軸８２の軸中心線ｑを電解タンク１０の筒中心線ａ、及び第１水位電極軸８１の軸中心線ｐに平行して、上筒端１０Ａ及び検出位置Ｗの間に配置される。
第２水位電極軸８２は、上下方向ＵＤにおいて、一方の軸端８２Ａを第１及び第２電極軸１１，１２の一方の軸端１１Ａ，１２Ａに第４間隔δ４を隔てて電解タンク１０内（密閉空間Ｒ）に配置される。
第２水位電極軸８２は、上下方向ＵＤにおいて、他方の軸端８２Ｂ（上軸端）を電解タンク１０内から外側に突出して、電解タンク１０に固定される。
【００８５】
第１及び第２水位電極軸８１，８２（第１及び第２水位電極）は、図２に示すように、水位電源８５に接続される。水位電源８５は、第１及び第２水位電極軸８１，８２の他方の軸端８１Ｂ，８２Ｂに接続される。
水位電源８５は、例えば、交流電源（水位電極交流電源）であって、第１及び第２水位電極軸８１，８２（第１及び第２水位電極）の間に電圧（交流電圧）を印加する。
なお、水位電源は、直流電源であっても良く、第１及び第２水位電極軸８１，８２（第１及び第２水位電極）の間に直流電圧を印加する。
【００８６】
水位計８３は、図２に示すように、第１水位電極軸８１（第１水位電極）、及び水位電源８５の間に配置される。水位計８３は、第１水位電極軸８１の他方の軸端８１Ｂ、及び水位電源８５に接続される。水位計８３は、第２水位電極軸８２（第２水位電極）との間に水位電源８５を介在して、第２水位電極軸８２の他方の軸端８２Ｂ（第２水位電極）に接続される。水位計８３は、第１及び第２水位電極軸８１，８２の間を流れる電流を検出（電解タンク１０内の水位を検出）して、検出信号を出力する。
水位検出器５は、第1及び第２水位電極軸８１，８２の間に流れる電流に基づいて、電解タンク１０内の水位を検出する構成に限定されない。
【００８７】
制御装置６は、図２に示すように、ＣＰＵ（Central  Processing  Unit／中央演算装置）であって、バブル水発生システムＸの全体を制御する。
【００８８】
制御装置６は、図２に示すように、電極電源１３に接続され、電極電源の電力供給を制御する。制御装置６は、給水ポンプ１８に接続され、給水ポンプ１８の駆動、停止を制御する。
制御装置６は、開閉弁４（電磁弁）に接続され、開閉弁４の開閉（開閉弁）を制御する。制御装置６は、水位電源８５に接続され、水位電源８５の電力供給を制御する。
【００８９】
制御装置６は、水位計８３（水位検出器５）に接続され、水位計８３から検出信号を入力する。制御装置６は、検出信号に基づき、開閉弁４を開弁する（開閉弁４開く）。
【００９０】
バブル水発生システムＸにおいて、制御装置６は、図２に示すように、給水ポンプ１８に駆動信号を出力して、給水ポンプ１８を駆動する。
給水ポンプ１８は、水源から水を吸引して、水（圧力水）を給水管１７に吐出する。給水管１７に吐出された水は、給水管１７を流れて、電解タンク１０（電解装置１）のタンク流入口１４に流入する。
【００９１】
開閉弁４（電磁弁）は、閉弁して、気液流入管３を閉じる。
【００９２】
電解装置１において、タンク流入口１４に流入した水は、図２及び図８に示すように、電解タンク１０内（密閉空間Ｒ）に流れ込む。水は、電解タンク１０内（密閉空間Ｒ）に充満（充填）される。開閉弁４は、閉弁して、気液流入管３を閉じている。電解装置１は、開閉弁４の閉弁によって、タンク流入口１４から流入される水を電解タンク１０内（密閉空間Ｒ）に貯留する。
タンク流入口１４に流入した水は、電解タンク１０内（密閉空間Ｒ）に貯留される。
電解装置１は、上下方向ＵＤにおいて、上筒端１０Ａ側にタンク流入口１４を配置し、下筒端１０Ｂ側にタンク流出口１５を配置しているので、電解タンク１０の下筒端１０Ｂ及び上筒端１０Ａ（水位位置Ｗ）の間の密閉空間Ｒ（電解タンク１０内）に十分な量の水を貯留する。
【００９３】
制御装置６は、図２に示すように、給水ポンプ１８の駆動と同時に、水位電源８５から第１及び第２水位電極軸８１，８２（第１及び第２水位電極）に電力（交流電力）を供給する。
これにより、制御装置６（水位検出器５）は、第１及び第２水位電極軸８１，８２（第１及び第２水位電極）の間に交流電圧（電圧）を印加する。
【００９４】
水位検出器５において、水位計８３は、図２に示すように、第１及び第２水位電極軸８１，８２の間を流れる電流を検出すると、検出信号を制御装置６に出力する。
電解タンク１０内（密閉空間Ｒ）に貯留する水は、水位計８３による電流の検出時、検出位置Ｗ以上（上筒端１０Ａと、第１及び第２水位電極軸８１，８２の他方の軸端８１Ａ，８２Ａの間）の水位となる。
第１及び第２電極軸１１，１２（第１及び第２電極）は、水位計８３による電流の検出時において、電解タンク１０（密閉空間Ｒ）に貯留された水に浸漬される。
【００９５】
制御装置６は、図２に示すように、検出信号（水位検出）に基づき、電極電源１３から第１及び第２電極軸１１，１２（第１及び第２電極）に電力（直流電力）を供給する。
これにより、電解装置１（制御装置６）は、第１及び第２電極軸１１，１２（第１及び第２電極）の間に電圧（直流電圧）を印加して、電解タンク１０（密閉空間Ｒ）に貯留した水を電気分解する。
電解装置１は、水の電気分解（第１及び第２電極軸１１，１２の間の電圧の印加）によって、第１及び第２電極軸１１，１２（第１及び第２電極）に水素、酸素（気体）を発生する。
水の電気分解で発生した気体（水素、酸素）は、電解タンク１０内（密閉空間Ｒ）に貯留した水に溶け込み、或いは気泡の状態で水に混入して、タンク流出口１５から水と共に気液流入管３に流出される。
【００９６】
制御装置６は、図２に示すように、検出信号に基づき、開閉弁４に開弁信号を出力して、開閉弁４（電磁弁）を開く（開閉弁４を開弁する）。制御装置６は、開閉弁４を開いて（開弁して）、電解タンク１０及びバブル水発生装置２を気液流入管３にて連通する。
制御装置６は、電極電源１３の電力供給と同時に、又は電極電源１３の電力供給から時間を経過した時に、開閉弁４に開弁信号を出力する。
開閉弁４は、開き（開弁）によって、電解タンク１０（タンク流出口１５）及びバブル水発生装置２（バブル噴射器Ｎ）を気液流入管３にて連通する。
【００９７】
水の電気分解で発生した気体（水素、酸素）及び水は、図１及び図２に示すように、開閉弁４の開弁（開き）によって、電解タンク１０内（タンク流出口１５）から気液流入管３に流出される。水の電気分解で発生した気体及び水は、図１及び図２３に示すように、気液流入管３を通して、バブル噴射器Ｎ（バブル水発生装置２）のバブル発生穴７２に流入される。
【００９８】
バブル噴射器Ｎ（バブル水発生装置２）において、水の電気分解で発生した気体（水素、酸素）及び水（以下、「気体水ＡＷ」という）は、図２３に示すように、各導入穴部７８から中継穴部７７に流入される。中継穴部７７に流入した気体水ＡＷは、噴出絞り穴部７６から広角穴部７５に噴出される。
バブル噴射器Ｎにおいて、噴出絞り穴部７６に流入した気体水ＡＷは、流速を増加及び減圧しつつ噴出絞り穴部７６を流れ、広角穴部７５に噴出される。噴出絞り穴部７６は、気体水ＡＷの流速を増加、及び減圧しつつ流して、気体水ＡＷを広角穴部７５に噴出する。
【００９９】
噴出絞り穴部７６から気体水ＡＷを広角穴部７５に噴出すると、気体水ＡＷは、流速が減速され、圧力の高くなった乱流となり、気体水ＡＷにベンチュリー効果による負圧を発生させる。
気体水ＡＷ中の気体及び気泡（水素、酸素の気泡）は、ベンチュリー効果、気体水ＡＷの乱流によって、ファインバブル（マイクロバブル及びウルトラファインバブル）に粉砕（剪断）される。バブル噴射器Ｎにて粉砕（剪断）されたファインバブル（マイクロバブル及びウルトラファインバブル）は、水に混入及び溶け込んだ微細気泡水ＢＷ（ファインバブル水）となる。
【０１００】
バブル噴射器Ｎで発生した微細気泡水ＢＷは、図２３に示すように、広角穴部７５から第２流れ筒本体２７（バブル攪拌器Ｍ）の流れ流入穴部５０に流入し、及び攪拌流入口２４から流れ筒体２１の流れ穴２３内に流入（噴射）される。
【０１０１】
バブル攪拌器Ｍにおいて、微細気泡水ＢＷは、図２３に示すように、攪拌流入口２４から１番目（奇数番目）の第１乱流筒体８Ｘ内に流入（噴射）される。微細気泡水ＢＷは、流れ筒体２１の攪拌流入口２４を通って、１番目の第１乱流筒体８Ｘの一方の筒端８ａから乱流空間ＣＡに噴射されて乱流となり、及び１番目の第１乱流筒体８Ｘに衝突して乱流となる。
１番目の第１乱流筒体８Ｘの乱流空間ＣＡにおいて、微細気泡水ＢＷは、乱流及び衝突によって攪拌され、微細気泡水ＢＷの気体及び気泡は、乱流及び１番目の乱流筒体８Ｘの衝突によって、更にファインバブル（マイクロバブル及びウルトラファインバブル）に粉砕（剪断）される。
１番目の第１乱流筒体８Ｘにて粉砕（剪断）されたファンバブルは、微細気泡水ＢＷに混入及び溶け込んで微細気泡水ＣＷ（ファインバブル水）となる。
１番目の第１乱流筒体８Ｘで発生した微細気泡水ＣＷのファインバブル（マイクロバブル及びウルトラファンバブル）の混入、溶け込み量は、バブル噴射器Ｎで発生した微細気泡ＢＷのファンバブルの混入、溶け込み量より増加した量の状態となる。
これにより、微細気泡水ＣＷのファインバブルの混入、溶け込み濃度αｃは、微細気泡水ＢＷのファインバブルの混入、溶け込み濃度αｂより高い濃度となる（αｂ＜αｃ）。
【０１０２】
1番目の第１乱流筒体８Ｘの乱流空間ＣＡに流入した微細気泡水ＢＷの一部は、図２２及び図２３に示すように、１番目の第１乱流筒体８Ｘの乱流空間ＣＡから各第１流通穴５６を通って、流れ穴２３（案内流路Ｑ）に流入される。１番目の第１乱流筒体８Ｘにおいて、微細気泡水ＢＷの一部は、各第１流通穴５６を通って、流れ穴２３の穴内周面２３Ａ及び１番目の第１乱流筒体８Ｘの外周面８ｃの間（第１流れ隙間δＡ）、各第２整流突起４７及び１番目の第１乱流筒体８Ｘの外周面８ｃの間（第２流れ隙間δＢ）の案内流路Ｑに流出される。
【０１０３】
１番目の第１乱流筒体８Ｘにおいて、微細気泡水ＣＷの一部は、図２１及び図２３に示すように、第１乱流筒体８Ｘの乱流空間ＣＡから各第１流出絞り穴５７を通って、流れ穴２３（案内流路Ｑ）に流出されて、各第１流通穴５６を通って流れ穴２３（案内流路Ｑ）に流入した微細気泡水ＢＷに合流されて、微細気泡水ＤＷとなる。
【０１０４】
微細気泡水ＤＷは、図２１及び図２２に示すように、第２流れ筒本体２７の各第２整流突起４７、１番目の第１乱流筒体８Ｘの外周面８ｃ、流れ穴２３の穴内周面２３Ａにて整流されて、流れ穴２３の穴中心線ｄの方向Ｄにおいて、各第１流出絞り穴５７から流れ穴２３の穴内周面２３Ａ、各第２整流突起４７、及び１番目の第１乱流筒体８Ｘの外周面８ｃに沿って２番目（偶数番目）の第２乱流筒体８Ｙに向けて案内流路Ｑを流れる。
これにより、微細気泡水ＤＷは、流れ穴２３の穴中心線ｄの方向Ｄの層流となって、２番目の第２乱流筒体８Ｙに向けて案内流路Ｑを流れる。
【０１０５】
１番目の第１乱流筒体８Ｘにおいて、微細気泡水ＣＷは、図２３及び図２４に示すように、噴射絞り穴５５から２番目の第２乱流筒体８Ｙの乱流空間ＣＡに噴射される。
１番目の第１乱流筒体８Ｘにおいて、噴射絞り穴５５に流入した噴射気泡水ＣＷは、流速を増加、及び減圧しつつ噴射絞り穴５５を流れ、２番目の第２乱流筒体８Ｙの乱流空間ＣＡに噴射される。
１番目の第１乱流筒体８Ｘにおいて、噴射絞り穴５５は、微細気泡水ＣＷの流速を増加、及び減圧しつつ流して、微細気泡水ＣＷを２番目の第２乱流筒体８Ｙの乱流空間ＣＡに噴射する。
【０１０６】
１番目の第１乱流筒体８Ｘにおいて、噴射絞り穴５５から微細気泡水ＣＷを２番目の第２乱流筒体８Ｙの乱流空間ＣＡに噴射すると、微細気泡水ＤＷの一部は、図２０、図２３及び図２４に示すように、案内流路Ｑから各第２流通穴６６を通って、２番目の第２乱流筒体８Ｙの乱流空間ＣＡに流入され、２番目の第２乱流筒体８Ｙの乱流空間ＣＡに噴射される微細気泡水ＣＷに混合（合流）される。
【０１０７】
1番目の第１乱流筒体８Ｘの噴射絞り穴５５から微細気泡水ＣＷを、２番目の第２乱流筒体８Ｙの乱流空間ＣＡに噴射すると、微細気泡水ＣＷは、図２４に示すように、流速が減速、圧力の高くなった乱流となり、微細気泡水ＣＷにベンチュリー効果による負圧を発生させる。
２番目の第２乱流筒体８Ｙ内に噴射された微細気泡水ＣＷ、及び２番目の第２乱流筒体８Ｙ内に流入された微細気泡水ＤＷは、図２４に示すように、乱流空間ＣＡにおいて、２番目の第２乱流筒体８Ｙに衝突して乱流となる。
２番目の第２乱流筒体８Ｙの乱流空間ＣＡにおいて、微細気泡水ＣＷ及び微細気泡水ＤＷは、乱流及び衝突によって攪拌されて、微細気泡水ＣＷ中の気体、気泡、及び微細気泡水ＤＷ中の気体、気泡は、ベンチュリー効果、乱流及び２番目の第２乱流筒体８Ｙの衝突によって、更にファインバブル（マイクロバブル及びウルトラファンバブル）に粉砕（剪断）される。２番目の第２乱流筒体８Ｙにて粉砕（剪断）されたファインバブルは、微細気泡水ＣＷ及び微細気泡水ＤＷに混入、溶け込んで、微細気泡水ＥＷとなる。
２番目の第２乱流筒体８Ｙで発生した微細気泡水ＥＷのファインバブルの混入、溶け込み量は、１番目の第１乱流筒体８Ｘで発生した微細気泡水ＣＷのファンバブルの混入、溶け込み量より増加した量の状態となる。
これにより、微細気泡水ＥＷのファインバブルの混入、溶け込み濃度αｅは、微細気泡水ＣＷのファインバブルの混入、溶け込み濃度αｃより高い濃度となる（αｃ＜αｅ）。
【０１０８】
微細気泡水ＤＷは、図２３及び図２４に示すように、流れ穴２３の穴中心線ｄの方向Ｄにおいて、２番目の第２乱流筒体８Ｙから３番目（奇数番目／最終番目）の第１乱流筒体８Ｘに向けて案内流路Ｑを流れる。
微細気泡水ＤＷは、図２４に示すように、流れ穴２３の穴内周面２３Ａ、第１流れ筒本体２６の各第１整流突起３４及び２番目の第２乱流筒体８Ｙの外周面８ｃにて整流されて、流れ穴２３の穴内周面２３Ａ、各第１整流突起３４及び２番目の第２乱流筒体８Ｙの外周面８ｃに沿って、２番目の第２乱流筒体８Ｙの各第２流出絞り穴６７に向けて案内流路Ｑを流れる。
これにより、微細気泡水ＤＷは、流れ穴２３の穴中心線ｄの方向Ｄの層流となって、３番目の第１乱流筒体８Ｘ（攪拌流出口２５）に向けて案内流路Ｑを流れる。
【０１０９】
２番目の第２乱流筒体８Ｙの乱流空間ＣＡにおいて、微細気泡水ＥＷは、図１９及び図２４に示すように、各第２流出絞り穴６７を通って、流れ穴２３（案内流路Ｑ）に流出されて、案内流路Ｑを流れる微細気泡水ＤＷに混合（合流）されて、微細気泡水ＦＷとなる。
【０１１０】
微細気泡水ＦＷは、図１９及び図２４に示すように、第1流れ筒本体２６の各第１整流突起３４、２番目の第２乱流筒体８Ｙの外周面８ｃ、及び流れ穴２３の穴内周面２３Ａにて整流されて、流れ穴２３の穴中心線での方向Ｄにおいて、２番目の第２乱流筒体８Ｙの各第１流出絞り穴５７から流れ穴２３の穴内周面２３Ａ、各第１整流突起３４、及び２番目の第２乱流筒体８Ｙの外周面８ｃに沿って、３番目の第１乱流筒体８Ｘの各第１流出絞り穴５７に向けて案内流路Ｑを流れる。
これにより、微細気泡水ＦＷは、流れ穴２３の穴中心線ｄの方向Ｄの層流となって、３番目の第１乱流筒体８Ｘに向けて案内流路Ｑを流れる。
【０１１１】
微細気泡水ＦＷの一部は、図１８及び図２４に示すように、案内流路Ｑから３番目の第１乱流筒体８Ｘの各第１流通穴５６を通って、３番目（最終番目）の第１乱流筒体８Ｘの乱流空間ＣＡに流入されて乱流となり、及び３番目の第１乱流筒体８Ｘに衝突して乱流となる。
３番目の第１乱流筒体８Ｘの乱流空間ＣＡにおいて、微細気泡水ＦＷは、乱流及び衝突によって攪拌され、微細気泡水ＦＷ中の気体、気泡は、乱流及び３番目の第１乱流筒体８Ｘの衝突によって、更にファインバブル（マイクロバブル及びウルトラファインバブル）に粉砕（剪断）される。３番目の第１乱流筒体８Ｘにて粉砕（剪断）されたファインバブルは、微細気泡水ＦＷに混入及び溶け込んで微細気泡水ＧＷとなる。
【０１１２】
３番目の第１乱流筒体８Ｘで発生した微細気泡水ＧＷのファインバブルの混入、溶け込み量は、２番目の第２乱流筒体８Ｙで発生した微細気泡水ＥＷのファインバブルの混入、溶け込み量より増加した量の状態となる。
これにより、微細気泡水ＧＷのファインバブルの混入、溶け込み濃度αｇは、微細気泡水ＥＷのファインバブルの混入、溶け込み濃度αｅより高い濃度となる（αｅ＜αｇ）。
【０１１３】
３番目の第１乱流筒体８Ｘの乱流空間ＣＡにおいて、微細気泡水ＧＷの一部は、図１７及び図２４に示すように、各第１流出絞り穴５７を通って、流れ穴２３（案内流路Ｑ）に流出されて、案内流路Ｑを流れる微細気泡水ＦＷに混合（合流）されて、微細気泡水ＨＷとなる。
【０１１４】
微細気泡水ＨＷは、図１７及び図２４に示すように、第１流れ筒本体２６の各第１整流突起３４、３番目の第１乱流筒体８Ｘの外周面８ｃ、及び流れ穴２３の穴内周面２３Ａにて整流されて、流れ穴２３の穴中心線ｄの方向Ｄにおいて、３番目の第１乱流筒体８Ｘの各第２流出絞り穴５７から流れ穴２３の穴内周面２３Ａ、各第１整流突起３４、及び３番目の第１乱流筒体８Ｘの外周面８ｃに沿って、各案内流出路Ｓに向けて案内流路Ｑを流れる。
【０１１５】
３番目の第１乱流筒体８Ｘの乱流空間ＣＡにおいて、微細気泡水ＧＷは、図１６及び図２４に示すように、噴射絞り穴５５から第１流れ筒本体２６の流れ流出穴部３７内に噴射されて、攪拌流出口２５から流出管１９に流出される。
３番目の第１乱流筒体８Ｘにおいて、噴射絞り穴５５に流入した微細気泡水ＧＷは、流速を増加、及び減圧しつつ噴射絞り穴５５を流れ、第１流れ筒本体２６の流れ流出穴部３７、及び流出管１９に噴射される。
３番目の第１乱流筒体８Ｘにおいて、噴射絞り穴５５は、微細気泡水ＧＷの流速を増加、及び減圧しつつ流して、微細気泡水ＧＷを第１流れ筒本体２６の流れ流出穴部３７（攪拌流出口２５）、及び流出管１９に噴射する。
【０１１６】
３番目の第１乱流筒体８Ｘにおいて、噴射絞り穴５５から微細気泡水ＧＷを噴射すると、案内流路Ｑを流れる微細気泡水ＨＷは、図１６及び図２４に示すように、３番目の第１乱流筒体８Ｘの他方の筒端８ｂに沿って案内流路Ｑを流れて、各案内流出路Ｓに流入する。微細気泡水ＨＷは、各案内流出路Ｓを通って、第１流れ筒本体２６の流れ流出穴部３７に流出されて、噴射絞り穴５５から噴射される微細気泡水ＧＷと混合（合流）される。
【０１１７】
３番目の第１乱流筒体８Ｘの噴射絞り穴５５から微細気泡水ＧＷを、第１流れ筒本体２６の流れ流出穴部３７に噴射すると、微細気泡水ＧＷは、図２４に示すように、流速が減速され、圧力の高くなった乱流となり、微細気泡水ＧＷにベンチュリー効果による負圧を発生させる。  
第１流れ筒本体２６の流れ流出穴部３７において、微細気泡水ＧＷ及び微細気泡水ＨＷは、乱流によって攪拌され、微細気泡水ＧＷの気体、気泡、及び微細気泡水ＨＷの気体、気泡は、ベンチュリー効果、微細気泡水ＧＷの乱流によって、更にファインバブル（マイクロバブル及びウルトラファインバブル）に粉砕（剪断）される。流れ流出穴部３７にて粉砕（剪断）されたファインバブルは、微細気泡水ＧＷ及び微細気泡水ＨＷに混入、溶け込んで微細気泡水ＪＷとなる。
【０１１８】
第１流れ筒本体２６の流れ流出穴部３７で発生した微細気泡水ＪＷのファインバブルの混入、溶け込み量は、３番目の第１乱流筒体８Ｘ内で発生した微細気泡水ＧＷのファインバブルの混入、溶け込んだ量より増加した量の状態となる。
これにより、微細気泡水ＪＷのファインバブルの混入、溶け込み濃度αｊは、微細気泡水ＧＷのファインバブルの混入、溶け込み濃度αｇより高い濃度となる（αｇ＜αｊ）。
【０１１９】
微細気泡水ＪＷは、図２４に示すように、流れ筒体２１の攪拌流出口２５（バブル水発生装置２）から流出管１９に流出される。
【０１２０】
バブル水発生装置２では、各乱流筒体８Ｘ，８Ｙ、流れ穴２３（穴内周面２３Ａ）、各第１整流突起３４及び各第２整流突起４７によって、微細気泡水の流れを乱流、層流の順に繰り返して、微細気泡水中の気体、気泡を粉砕（剪断）することで、バブル噴射器Ｎで発生した微細気泡水ＢＷより、ファインバブルが高濃度で混入、溶け込んだ微細気泡水ＪＷを流出できる。
【０１２１】
流出管１９に流出された微細気泡水ＪＷは、図１に示すように、流出管１９を通して、機器Ｙ（工業用洗濯機等）に流出（噴射）される。
【０１２２】
電解タンク１０内の水位が検出位置Ｗよりタンク流入口１４側（下筒端１０Ｂ側）に位置すると、第１及び第２水位電極軸８１，８２の間に電流は流れない。
これにより、水位検出器５は、図２、図８に示すように、電解タンク１０内（密閉空間Ｒ）の水位が検出位置Ｗから下筒端１０Ｂ側に位置すると、検出信号を制御装置６に出力しない。
【０１２３】
制御装置６は、図２に示すように、検出信号を入力しないと、開閉弁４を閉弁する。
開閉弁４は、閉弁によって、気液流入管３を閉じて、バブル水発生装置２を電解タンク１０（電解装置１）から遮断する。
電解タンク１０内（密閉空間Ｒ）において、水の電気分解で発生した気体及び水は、開閉弁４の閉弁によって、気液流入管３を通してバブル水発生装置２に流入しない。
これにより、電解装置１は、電解タンク１０内（密閉空間Ｒ）の水位が検出位置Ｗに位置するまで、電解タンク１０内（密閉空間Ｒ）に水を貯留する。
【０１２４】
制御装置６は、図２に示すように、再び、検出信号を入力すると、検出信号に基づき、開閉弁４に開弁信号を出力して、開閉弁４（電磁弁）を開く（開閉弁４を開弁する）。
開閉弁４は、開き（開弁）によって、電解タンク１０（タンク流出口１５）及びバブル水発生装置２（バブル噴射器Ｎ）を気液流入管３にて連通する。
【０１２５】
水の電気分解で発生した気体（水素、酸素）及び水は、開閉弁４の開弁（開き）によって、電解タンク１０内（タンク流出口１５）から気液流入管３に流出される。水の電気分解で発生した気体及び水は、気液流入管３を通して、バブル噴射器Ｎ（バブル水発生装置２）のバブル発生穴７２に流入される。
【０１２６】
このように、バブル水発生システムＸは、電解タンク１０の密閉空間Ｒにおいて、水を電気分解するので、水の電気分解で発生した気体（水素、酸素）を外気に逃がす（放出する）ことなく、水の電気分解で発生した全ての気体（水素、酸素）、及び水を気液流入管３を通して、バブル水発生装置２に流入できる。
バブル水発生システムＸでは、水位検出器５による電解タンク１０内の水位の検出に基づき、開閉弁を開閉（開弁／閉弁）することで、常時、第１及び第２電極軸１１，１２（第１及び第２電極）の全体を電解タンク１０内（密閉空間Ｒ）に貯留した水に浸漬できる。
これにより、電解タンク１０内（密閉空間Ｒ）に貯留された水に、常時、第及び第２電極軸１１，１２の全体を浸漬することで、常時、電解タンク１０内に貯留した水を効率良く電気分解でき、電気分解で発生した気体（水素、酸素）を水と共に、気液流入管３を通して、バブル水発生装置２に流入できる。
【産業上の利用可能性】
【０１２７】
本考案は、微細気泡水（ファインバブル水）を生成して、流出するのに最適である。
【符号の説明】
【０１２８】
Ｘ  バブル水発生システム
１  電解装置
２  バブル水発生装置
３  気液流入管
４  開閉弁（電磁弁）
５  水位検出器
６  制御装置
１０  電解タンク
１０Ａ  上筒端
１０Ｂ  下筒端
１１  第１電極軸（第１電極）
１２  第２電極軸（第２電極）
１４  タンク流入口（流入口）
１５  タンク流出口（流出口）
ＵＤ  上下方向（筒中心線ａの方向Ａ）
【図１】
0003234258.tif 000003
【図２】
0003234258.tif 000004
【図３】
0003234258.tif 000005
【図４】
0003234258.tif 000006
【図５】
0003234258.tif 000007
【図６】
0003234258.tif 000008
【図７】
0003234258.tif 000009
【図８】
0003234258.tif 000010
【図９】
0003234258.tif 000011
【図１０】
0003234258.tif 000012
【図１１】
0003234258.tif 000013
【図１２】
0003234258.tif 000014
【図１３】
0003234258.tif 000015
【図１４】
0003234258.tif 000016
【図１５】
0003234258.tif 000017
【図１６】
0003234258.tif 000018
【図１７】
0003234258.tif 000019
【図１８】
0003234258.tif 000020
【図１９】
0003234258.tif 000021
【図２０】
0003234258.tif 000022
【図２１】
0003234258.tif 000023
【図２２】
0003234258.tif 000024
【図２３】
0003234258.tif 000025
【図２４】
0003234258.tif 000026
【図２５】
0003234258.tif 000027
【図２６】
0003234258.tif 000028
【図２７】
0003234258.tif 000029
【図２８】
0003234258.tif 000030
【図２９】
0003234258.tif 000031
【図３０】
0003234258.tif 000032
【図３１】
0003234258.tif 000033
【図３２】
0003234258.tif 000034
【図３３】
0003234258.tif 000035
【図３４】
0003234258.tif 000036
【図３５】
0003234258.tif 000037